(57)【特許請求の範囲】
【請求項１】
被取付部に埋め込み配設されることにより下方に光を照射するダウンライトであって、
光源と、
前記光源が配置される第一凹部と、前記第一凹部の内側面において、前記光源の光軸に近づく向きに突出する突出部とを有する器具本体と、
前記突出部に配置される検知部と、
前記突出部に配置され、軸回転する円板状のダイヤルを有する操作部とを備え、
前記突出部の表面は、前記検知部が配置される第一面と、前記ダイヤルが配置される第二面とを有し、
前記第二面は、前記光軸に対向する
ダウンライト。
【請求項２】
前記ダイヤルの回転軸は、前記光軸と略平行である
請求項１に記載のダウンライト。
【請求項３】
前記検知部及び前記操作部が実装される回路基板を、さらに備える
請求項１又は２に記載のダウンライト。
【請求項４】
前記第二面は、第二凹部を有し、
前記第二凹部には、前記ダイヤルを露出させる窓部が形成されている
請求項１〜３のいずれか１項に記載のダウンライト。
【請求項５】
前記操作部を覆うカバー部材を、さらに備える
請求項１〜４のいずれか１項に記載のダウンライト。
【請求項６】
前記カバー部材の外面は、前記第一凹部の内面と連なっている
請求項５に記載のダウンライト。
【請求項７】
光源と、
前記光源が配置される第一凹部と、前記第一凹部の内側面において、前記光源の光軸に近づく向きに突出する突出部とを有する器具本体と、
前記突出部に配置される検知部と、
前記突出部に配置され、軸回転する円板状のダイヤルを有する操作部と、
前記操作部を覆うカバー部材とを備え、
前記突出部の表面は、前記検知部が配置される第一面と、前記ダイヤルが配置される第二面とを有し、
前記第二面は、前記光軸に対向し、
前記カバー部材には、前記検知部を露出させる貫通孔が形成されている
照明器具。
【請求項８】
光源と、
前記光源が配置される第一凹部と、前記第一凹部の内側面において、前記光源の光軸に近づく向きに突出する突出部とを有する器具本体と、
前記突出部に配置される検知部と、
前記突出部に配置され、軸回転する円板状のダイヤルを有する操作部とを備え、
前記突出部の表面は、前記検知部が配置される第一面と、前記ダイヤルが配置される第二面とを有し、
前記ダイヤルは、前記ダイヤルの回転軸から最も離れた位置に配置された側面である操作面と、前記操作面より前記ダイヤルの回転軸に近い位置に設けられた表示面とを有し、
前記表示面には、前記操作部によって設定される設定値を示す情報が表示される
照明器具。
【発明の詳細な説明】
【技術分野】
【０００１】
本発明は、検知部及び操作部を備える照明器具に関する。
【背景技術】
【０００２】
従来、例えば、ダウンライトのように天井等に配設されて下方に光を照射する照明器具が知られている。このような照明器具において、人感センサなどの検知部と、当該検知部の感度などを調整する操作部とを設ける技術が提案されている（例えば、特許文献１）。
【０００３】
特許文献１に開示されたダウンライトにおいては、鉛直方向下向きの面にセンサ及び調整スイッチが設けられている。当該ダウンライトにおいては、調整スイッチを操作することにより、センサの感度を調整できる。
【先行技術文献】
【特許文献】
【０００４】
【特許文献１】特開２００９−２６６４２４号公報
【発明の概要】
【発明が解決しようとする課題】
【０００５】
特許文献１に開示されたダウンライトにおいては、ユーザは、調整スイッチの目盛などを見ながら調整スイッチの操作を行う。つまり、ユーザは、調整スイッチが設けられた面を見るために、真上を見上げながら操作する必要がある。このようなダウンライトの調整スイッチの操作を、脚立などに乗って行うことは容易ではない。
【０００６】
本発明の一態様は、このような問題を解決するためになされたものであり、操作性の良い操作部を備える照明器具を提供することを目的とする。
【課題を解決するための手段】
【０００７】
上記目的を達成するために、本発明に係る照明器具の一態様は、光源と、前記光源が配置される第一凹部と、前記第一凹部の内側面において、前記光源の光軸に近づく向きに突出する突出部とを有する器具本体と、前記突出部に配置される検知部と、前記突出部に配置され、軸回転する円板状のダイヤルを有する操作部とを備え、前記突出部の表面は、前記検知部が配置される第一面と、前記ダイヤルが配置される第二面とを有し、前記第二面は、前記光軸に対向する。
【発明の効果】
【０００８】
本発明の一態様によれば、操作性の良い操作部を備える照明器具を提供できる。
【図面の簡単な説明】
【０００９】
【図１】図１は、実施の形態に係る照明器具の外観斜視図である。
【図２】図２は、実施の形態に係る照明器具の断面図である。
【図３】図３は、実施の形態に係る照明器具の一部を分解した斜視図である。
【図４】図４は、実施の形態に係る照明器具の突出部の構成を示す外観斜視図である。
【図５】図５は、実施の形態に係る照明器具の突出部の内部構造を示す斜視図である。
【図６】図６は、実施の形態に係る照明器具の突出部及びカバー部材の構成を示す斜視図である。
【発明を実施するための形態】
【００１０】
以下、本発明の実施の形態について、図面を参照しながら説明する。以下に説明する実施の形態は、いずれも本発明の好ましい一具体例を示すものである。したがって、以下の実施の形態で示される数値、形状、材料、構成要素、構成要素の配置位置及び接続形態等は、一例であって本発明を限定する主旨ではない。よって、以下の実施の形態における構成要素のうち、本発明の最上位概念を示す独立請求項に記載されていない構成要素については、任意の構成要素として説明される。
【００１１】
なお、各図は、模式図であり、必ずしも厳密に図示されたものではない。また、各図において、実質的に同一の構成に対しては同一の符号を付しており、重複する説明は省略又は簡略化する。
【００１２】
（実施の形態）
［１．全体構成］
まず、実施の形態に係る照明器具１の全体構成について、図面を用いて説明する。
【００１３】
図１は、本実施の形態に係る照明器具１の外観斜視図である。図２は、本実施の形態に係る照明器具１の断面図であり、照明器具１の光軸Ｊ及び操作部６０を通る断面を示している。図３は、本実施の形態に係る照明器具１の一部を分解した斜視図である。なお、各図において、光軸Ｊに平行な方向をＺ軸方向、光軸Ｊに垂直で互いに直交する２つの方向をＸ軸方向及びＹ軸方向としている。本実施の形態において、Ｚ軸方向は、鉛直方向である。図２は、ＹＺ平面に平行で、かつ、光軸Ｊを通る断面を示している。
【００１４】
照明器具１は、例えば建物の天井等の被取付部に埋め込み配設されることにより下方（床や壁等）に光を照明するダウンライト等の埋込型照明器具である。
【００１５】
図１〜図３に示すように、照明器具１は、器具本体１０と、検知部５０と、カバー部材９０とを備える。図２に示すように、照明器具１は、さらに、操作部６０と、反射部材７０と、透光部材８０とを備える。
【００１６】
なお、図示しないが、照明器具１は、照明器具１に電力を供給する電源部を備える。電源部は、例えば、照明器具１の外部に配置され、光源２０を発光させるための電力を生成する電源回路を備える。電源部は、商用電源等の外部電源からの交流電力を、整流、平滑及び降圧等して所定レベルの直流電力に変換する。電源部は、さらに、検知部５０及び操作部６０から入力された信号に基づいて、光源に供給する電力を制御する機能も有する。
【００１７】
以下、照明器具１の各構成部材（部品）について、図面を用いて詳細に説明する。なお、詳細は図示も説明もされていないが、照明器具１には、各構成部材同士を連結固定するためのネジが適宜設けられている。
【００１８】
［１−１．器具本体］
器具本体１０は、照明器具１の本体であり、図２に示すように、光源２０が配置される第一凹部１１と、第一凹部１１の内側面１１１において、光源２０の光軸Ｊに近づく向きに突出する突出部１２とを有する。本実施の形態では、図１〜図３に示すように、器具本体１０は、枠体３０と、基台４０とを備える。
【００１９】
［１−１−１．枠体］
図２に示すように、枠体３０は、光源２０から出射された光が通過する筒状の部材である。具体的には、枠体３０には、透光部材８０を透過した光源２０からの光が入射する。枠体３０に入射した光は、枠体３０内を通過して枠体３０から外部に出射される。
【００２０】
枠体３０は、枠体３０における光入射側（光源２０側）の端部に設けられた第一開口部３０ａと、枠体３０における光出射側の端部に設けられた第二開口部３０ｂとを有する。
【００２１】
本実施の形態において、枠体３０は、第一開口部３０ａから第二開口部３０ｂに向かって内径が漸次大きくなるように形成されている。つまり、枠体３０の内面は、湾曲形状面となっている。本実施の形態では、枠体３０の内面は、第一凹部１１の内側面１１１の一部を構成する。なお、枠体３０を補助反射部材として機能させるために、枠体３０の内面が光を反射させる反射面となっていてもよい。枠体３０は、例えば、樹脂材料又は金属材料によって形成することができる。
【００２２】
このように構成される枠体３０は、光源２０の光出射側に配置される。また、枠体３０は、基台４０に取り付けられている。具体的には、枠体３０は、基台４０の壁部４２の端部に取り付けられている。
【００２３】
本実施の形態では、枠体３０の内面は、器具本体１０の第一凹部１１の少なくとも一部を構成する。また、図２及び図３に示すように、枠体３０は、枠体３０の内面において、光軸Ｊに近づく向きに突出する突出部１２を有する。本実施の形態においては、突出部１２は、直方体状の筐体１２０を備える。突出部１２の筐体１２０の少なくとも一部が、枠体３０の内面に設けられた開口から光軸Ｊに近づく向きに突出する。突出部１２の表面は、検知部５０が配置される第一面１２１と、操作部６０が配置される第二面１２２とを有する。
【００２４】
本実施の形態では、第一面１２１の少なくとも一部は、光軸Ｊに交差する平面内にある。第一面１２１は、光軸Ｊに略垂直な部分を有してもよい。ここで光軸Ｊと略垂直とは、光軸Ｊとのなす角が７５度以上、９０度以下程度であることをいう。具体的には、突出部１２の表面のうち、第一面１２１は、略鉛直方向下向きの面である。
【００２５】
第二面１２２は、光軸Ｊに対向する。例えば、図２に示すような、光軸Ｊを含み、第二面１２２を横切る断面において、第二面１２２及び当該断面の交線と、光軸Ｊとのなす角は、０度以上、３０度以下程度である。また、第二面１２２と光軸Ｊとは、略平行であってもよい。ここで、略平行とは、光軸Ｊを含み、第二面１２２を横切る断面において、第二面１２２及び当該断面の交線と、光軸Ｊとのなす角が、０度以上、１５度以下であることをいう。これにより、操作部６０の操作性が向上させることができる。
【００２６】
突出部１２は、図１及び図２に示すように、着脱自在のカバー部材９０で覆われる。突出部１２に配置された操作部６０を操作する際には、カバー部材９０は、器具本体１０から取り外される。
【００２７】
また、枠体３０は、図１〜図３に示すように径方向の外向き（つまり、光軸Ｊから遠ざかる向き）に突出するフランジ部（鍔部）３２を有する。フランジ部３２は、枠体３０の光出射側の縁部に設けられている。具体的には、フランジ部３２は、枠体３０の光出射側の端部から枠体３０の外方に突出するように環状に設けられている。
【００２８】
図１及び図３に示すように、枠体３０の外面には、取付バネ３３が取り付けられている。取付バネ３３は、照明器具１を天井等の被取付部に取り付けるための弾性部材であり、例えば板バネ構造を有する。取付バネ３３は、鉄等の金属材料からなる長尺状の金属板をプレス加工等によって所定形状に形成されたものである。本実施の形態では、３つの取付バネ３３が枠体３０の外周面に取り付けられている。なお、取付バネ３３の個数は３つに限定されない。
【００２９】
照明器具１を天井等の被取付部の開口部に配設する際、フランジ部３２を天井面に係止させることで照明器具１を天井に固定する。具体的には、フランジ部３２の上面（光源２０側の面）を天井等の設置面に当接させて、フランジ部３２と取付バネ３３とによって天井板を挟持する。このとき、取付バネ３３のバネ復元力を利用して、取付バネ３３とフランジ部３２とで天井板を挟持する。これにより、照明器具１を天井等の開口部に取り付けることができる。
【００３０】
［１−１−２．基台］
基台４０は、光源２０が取り付けられる取付台として機能し、光源２０が固定される有底円筒形状の部材である。基台４０は、光源２０で発生する熱を放熱するヒートシンクとしても機能する。したがって、基台４０は、金属材料等の熱伝導率の高い材料によって構成されているとよい。基台４０は、例えばアルミニウムからなるアルミダイカスト製である。また、本実施の形態では、放熱性を良くするために、図１〜図３に示すように、基台４０には複数の放熱フィン４０ａが設けられている。複数の放熱フィン４０ａは、基台４０における光源２０が配置される面の裏側の面に立設されている。
【００３１】
図２に示すように、基台４０には、光源２０が取り付けられる取付面４１が設けられている。光源２０は、取付面４１に載置される。取付面４１は、平面のみで構成されている必要はなく、例えば、取付面４１の一部分が凹んだり突出したりしていてもよい。
【００３２】
また、基台４０は、光源２０を囲むように設けられた壁部４２を有する。本実施の形態において、壁部４２は、取付面４１の外周に沿って立設された側壁部である。具体的には、壁部４２は、環状であり、壁部４２及び取付面４１によって形成される凹部が、第一凹部１１の底部を形成する。壁部４２の枠体３０側端部は、光源２０からの光を出射する開口部である。
【００３３】
壁部４２は、基台４０の外壁部であり、壁部４２の外面は照明器具１の外郭面を構成する。つまり、壁部４２の外面は露出している。
【００３４】
［１−２．光源］
光源２０は、照明器具１の光源の一例である。本実施の形態において、光源２０は、ＬＥＤを有するＬＥＤ光源（ＬＥＤモジュール）である。光源２０は、例えば、白色光を放出する白色ＬＥＤ光源である。
【００３５】
光源２０は、基板と、発光部とを備える。本実施の形態においては、光源２０は、ＬＥＤが基板に直接実装されたＣＯＢ（Ｃｈｉｐ  Ｏｎ  Ｂｏａｒｄ）構造を有する。
【００３６】
基板は、ＬＥＤを実装するための実装基板であって、例えば、セラミックス基板、樹脂基板又はメタルベース基板等である。なお、基板には、ＬＥＤを発光させるための直流電力を外部から受電するための一対の電極端子と、ＬＥＤ同士を電気的に接続するための所定のパターンの金属配線とが形成されている。図示しないが、当該一対の電極端子には、電源部から電力を供給するための電力線が接続される。なお、電力線と基板との間にコネクタなどの他の部材が介在してもよい。
【００３７】
発光部は、基板に実装された複数のＬＥＤと、複数のＬＥＤを封止する封止部材とを有する。
【００３８】
ＬＥＤは、発光素子の一例であり、本実施の形態では、単色の可視光を発するベアチップである。ＬＥＤは、例えば、通電されれば青色光を発する青色ＬＥＤチップである。ＬＥＤは、例えば基板にマトリクス状に複数個配置されている。なお、ＬＥＤは、少なくとも１つ配置されていればよい。
【００３９】
封止部材としては、例えば透光性樹脂が用いられる。本実施の形態における封止部材は、ＬＥＤからの光を波長変換する波長変換材として蛍光体を含んでいる。封止部材は、例えば、シリコーン樹脂に蛍光体を分散させた蛍光体含有樹脂である。ＬＥＤが青色光を発光する青色ＬＥＤチップである場合、白色光を得るために、蛍光体粒子としては、例えばＹＡＧ系の黄色蛍光体を用いることができる。本実施の形態において、封止部材は、全てのＬＥＤを一括封止するように円形状に形成されているが、複数のＬＥＤを列ごとにライン状に封止してもよいし、各ＬＥＤを１つずつ個別に封止してもよい。
【００４０】
このように構成される光源２０は、器具本体１０の第一凹部１１に配置される。本実施の形態において、光源２０は、ネジなどの締結部材によって基台４０の取付面４１に固定されている。
【００４１】
光源２０の基板の電極端子と電源部とは電力線を介して電気的に接続される。光源２０は、電源部から供給される電力によって発光し、光源２０が発した光は、透光部材８０を透過して照明器具１の外部に出射される。
【００４２】
［１−３．検知部］
検知部５０は、突出部１２に配置されるセンサである。検知部５０は、突出部１２の第一面１２１に配置される。検知部５０は、例えば、人などの対象を検知し、検知に基づいて検知信号を出力する。検知信号は、どのような態様であってもよいが、例えば、対象を検知したときにはハイレベル、対象を検知していないときにはローレベルとなる２値のデジタル信号である。なお、検知信号は、検知部５０が対象を検知したときのみ（又は、検知部５０が対象を検知していないときのみ）出力されてもよい。
【００４３】
本実施の形態では、検知部５０は、人感センサであり、人の体から発せられる赤外線を上記対象として検知する。つまり、検知部５０は、人を検知する。
【００４４】
なお、検知部５０は、赤外線以外を検知してもよく、検知の対象は特に限定されない。例えば、検知部５０は、検知部５０の周辺の照度、温度、又は振動などを検知してもよい。この場合、検知部５０には、汎用の照度センサ、汎用の温度センサ、又は、汎用の振動センサを適用できる。検知部５０が検知部５０の周辺の照度、温度、又は振動などを検知することにより、照度、温度、又は振動が所定値よりも大きい場合に（又は所定値以下の場合に）、照明器具１の点灯、消灯、又は調光などの制御が可能となる。
【００４５】
検知部５０から出力される検知信号は、信号線などを介して電源部に入力される。電源部は、検知信号に基づいて照明器具１の点灯、消灯、又は調光などの制御を行う。
【００４６】
検知部５０の詳細構成について、図面を用いて説明する。
【００４７】
図４は、本実施の形態に係る照明器具１の突出部１２の構成を示す外観斜視図である。図４においては、カバー部材９０が取り外された状態における突出部１２の外観が示されている。図５は、本実施の形態に係る照明器具１の突出部１２の内部構造を示す斜視図である。図５においては、カバー部材９０及び筐体１２０が取り外された状態における突出部１２が示されている。
【００４８】
図５（及び図２）に示すように、突出部１２の内部には検知部５０及び操作部６０が実装される回路基板１２５が配置されている。このように、検知部５０及び操作部６０が一つの回路基板１２５に実装されることにより、検知部５０及び操作部６０を一体化することができるため、照明器具１の組立作業を容易にすることができる。
【００４９】
また、図４及び図５に示すように、検知部５０は、回路基板１２５に実装され、検知部５０の一部だけが突出部１２の第一面１２１に形成された開口部から外部に露出している。これにより、検知部５０の感度が筐体１２０によって低下することを抑制できる。
【００５０】
［１−４．操作部］
操作部６０は、突出部１２に配置され、軸回転する円板状のダイヤル６１を有する構成要素である。操作部６０のダイヤル６１を軸回転させることによって、照明器具１の設定を調整することができる。ダイヤル６１の回転軸Ｄ（図２参照）に対する回転角に応じて、複数の設定値の中から一つの設定値を選択することができる。例えば、ダイヤル６１によって、検知部５０の感度を設定してもよい。この場合、低い感度から高い感度までの複数の設定値と、ダイヤル６１の回転角とが対応付けられる。例えば、ダイヤル６１の回転角に対応した信号が、操作部６０から検知部５０に出力され、当該信号に応じて検知部５０の感度が切り替えられる。なお、ダイヤル６１の回転角に対応した信号は、電源部に出力されてもよい。この場合、電源部は、検知部５０に、検知部５０の感度を設定する信号を出力する。操作部６０によって設定される設定値は、検知部５０の感度に限定されない。例えば、検知部５０が人感センサである場合、検知部５０が人を検知しなくなってから、照明器具１を消灯するまでの時間がダイヤル６１によって設定されてもよい。また、ダイヤル６１によって、当該時間、及び、検知部５０の感度を含む複数のパラメータが設定されてもよい。
【００５１】
ダイヤル６１は、突出部１２の第二面１２２に配置される。また、本実施の形態では、図２に示すように、ダイヤル６１の回転軸Ｄは、光源２０の光軸Ｊと略平行である。つまり、回転軸Ｄは、鉛直方向と略平行である。これにより、ユーザは、指先をダイヤル６１に当接させた状態で、指先を水平方向に移動させるだけでダイヤル６１を軸回転させることができる。このように、ユーザは簡単な動作でダイヤル６１を操作することができる。なお、ダイヤル６１の回転軸Ｄの方向は、光軸Ｊと略平行な方向に限定されない。例えば、水平方向と略平行でもよい。
【００５２】
ダイヤル６１の詳細構成について、図４及び図５を用いて説明する。
【００５３】
図５に示すように、操作部６０は、回路基板１２５に実装される。また、本実施の形態では、操作部６０のダイヤル６１には、回転軸Ｄから最も離れた位置に配置された側面である操作面６１１と、操作面６１１より回転軸Ｄに近い位置に設けられた表示面６１２とを有する。
【００５４】
図４に示すように、突出部１２の第二面１２２は、第二凹部１２２ａを有し、第二凹部１２２ａには、ダイヤル６１を露出させる窓部１２２ｂが形成されている。これにより、ユーザは、窓部１２２ｂから露出したダイヤル６１の操作面６１１を筐体１２０の外部から操作することができる。また窓部１２２ｂが第二凹部１２２ａに形成されていることにより、ダイヤル６１の第二面１２２からの突出量を低減することができる。このため、光源２０からの光をダイヤル６１によって遮ることを抑制することができる。ダイヤル６１の操作に要する力を小さくするためには、回転軸Ｄに垂直な方向の寸法が大きい方が良いため、第二凹部１２２ａに窓部１２２ｂが形成される構成の効果は大きい。
【００５５】
本実施の形態では、操作面６１１には、回転軸Ｄ方向に延びる複数の溝が形成されている。これにより、操作面６１１の周方向にユーザの指先が滑ることを抑制できるため、容易にダイヤル６１を回転させることができる。つまり、ダイヤル６１の操作性を向上できる。
【００５６】
表示面６１２は、操作部６０によって設定される設定値を示す情報が表示される面である。図５に示すように、表示面６１２は、操作面６１１より、半径の小さい円筒状の面である。本実施の形態では、図４及び図５に示すように、設定値に対応する数値が記載されている。図４に示すように、表示面６１２に記載された数字は、筐体１２０の第二面１２２に形成された窓部１２２ｂからユーザが目視できる位置に配置されている。これにより、ユーザは、操作部６０の設定値を目視によって確認することができる。なお、図示しないが、例えば、突出部１２の第二面１２２の一部などに、表示面６１２に記載された数字と、設定値との関係が示されてもよい。具体的には、表示面６１２に記載された数字と、設定値との関係を示す表などが記載されたシールが、突出部１２の第二面１２２に貼り付けられてもよい。これにより、ユーザは、表示面６１２に記載された数字と設定値との関係を、操作時に容易に確認できる。
【００５７】
［１−５．反射部材］
反射部材７０は、筒状の反射板であり、光源２０からの光が入射する入射開口部７１と入射開口部７１から入射した光が出射する出射開口部７２とを有する。入射開口部７１は、光源２０を囲むように形成されている。出射開口部７２の開口の大きさは、入射開口部７１の開口の大きさよりも大きくなっている。反射部材７０の内面は、光源２０からの光を反射させる反射面となっている。
【００５８】
本実施の形態において、反射部材７０は、配光制御機能を有しており、光源２０から出射した光を所望の方向（例えば、下方）に向くように制御している。つまり、反射部材７０は、照明器具１の主反射板（主反射部材）として機能する。反射部材７０は、例えば、光源２０から出射した光が透光部材８０に入射するように配光制御する。
【００５９】
反射部材７０は、例えば、ポリブチレンテレフタレート（ＰＢＴ）等の硬質の白色樹脂材料によって形成されている。なお、反射部材７０は、アルミニウム等の金属材料によって形成されていてもよい。
【００６０】
［１−６．透光部材］
透光部材８０は、透光性の光学部材である。透光部材８０は、光源２０を覆うように配置される。これにより、光源２０を保護することができる。具体的には、透光部材８０は、反射部材７０の出射開口部７２を覆うように設けられている。本実施の形態では、透光部材８０は、配光制御機能を有するフレネルレンズである。
【００６１】
透光部材８０は、例えば、透光性を有する材料によって形成されている。具体的には、透光部材８０は、アクリル（ＰＭＭＡ）やポリカーボネート（ＰＣ）等の透明樹脂材料又はガラス材料によって形成することができる。
【００６２】
なお、透光部材８０は、平板状の平面パネルであってもよい。また、透光部材８０は、光拡散性を有していてもよい。例えば、透光部材８０に拡散粒子が分散されていてもよいし、透光部材８０の表面に多数の突起、又は、凹部（ディンプル）が設けられてもよい。
【００６３】
［１−７．カバー部材］
カバー部材９０は、操作部６０を覆う部材である。カバー部材９０によって、操作部６０に埃などが積ることを抑制できる。また、カバー部材９０によって、操作部６０などを隠すことができるため、照明器具１の外観の意匠性を向上させることができる。さらに、本実施の形態では、図１に示すように、カバー部材９０の外面は、器具本体１０の第一凹部１１の内面と連なっている。これにより、カバー部材９０と第一凹部１１の内側面１１１との隙間から埃などが進入することを抑制できる。また、カバー部材９０と第一凹部１１の内面との一体感を高めることができるため、照明器具１の外観の意匠性をさらに向上させることができる。
【００６４】
カバー部材９０は、例えば、ＰＢＴなどの樹脂材料で形成される。
【００６５】
以下、カバー部材９０のより詳細な構成について図面を用いて説明する。
【００６６】
図６は、本実施の形態に係る照明器具１の突出部１２及びカバー部材９０の構成を示す斜視図である。図６においては、器具本体１０の第一凹部１１からカバー部材９０が取り外された状態における照明器具１が示されている。
【００６７】
本実施の形態では、カバー部材９０には、検知部５０を露出させる貫通孔９１が形成されており、カバー部材９０は、突出部１２のうち、検知部５０以外の部分を覆う。これにより、照明器具１の突出部１２のほとんどの部分がカバー部材９０で覆われるため、照明器具１の意匠性をより向上させることができる。また、検知部５０を露出させる貫通孔９１が形成されていることにより、検知部５０の感度がカバー部材９０によって低下することを抑制できる。
【００６８】
カバー部材９０は、図６に示すように、被係止部９３ａ〜９３ｄを備える。被係止部９３ａ〜９３ｄは、それぞれ、器具本体１０の係止部１３ａ〜１３ｄに係止される。これにより、カバー部材９０は、器具本体１０に安定的に固定される。また、図１、図３及び図６に示すように、カバー部材９０の端部には、切り欠き部９４が形成されている。切り欠き部９４と器具本体１０の第一凹部１１の内側面１１１との間には、間隙が形成される。具体的には、切り欠き部９４と内側面１１１との間には、１ｍｍ以上、３ｍｍ以下程度の間隙が形成される。ユーザは、切り欠き部９４を光軸Ｊ側に向けて指先などで引っ張ることにより、カバー部材９０を取り外すことができる。
【００６９】
カバー部材９０は、図６に示されるように、連結部材９８によって、器具本体１０と連結されていてもよい。連結部材９８は、例えば、シリコーンゴムなどのエラストマーで形成された棒状の部材であり、一方端は、器具本体１０に、他方端は、カバー部材９０にそれぞれ接続される。これにより、カバー部材９０を取り外して、操作部６０を操作する場合に、カバー部材９０が、照明器具１から離脱することを抑制できる。また、連結部材９８により、カバー部材９０を紛失する可能性を低減できる。なお、連結部材９８は、器具本体１０及びカバー部材９０と着脱自在に接続されてもよい。これにより、必要に応じて、カバー部材９０を器具本体１０から離脱させることができる。
【００７０】
［２．照明器具の特徴］
次に、本実施の形態に係る照明器具１の特徴について説明する。
【００７１】
本実施の形態に係る照明器具１においては、上述のとおり、操作部６０を操作することにより、照明器具１の設定を調整することができる。照明器具１の特徴は、操作部６０の操作性の良さにある。以下、本実施の形態に係る照明器具１の調整手順について説明しながら、操作部６０の操作性について説明する。
【００７２】
照明器具１の設定を調整する場合、まず、カバー部材９０の切り欠き部９４を引っ張ることでカバー部材９０を取り外す。
【００７３】
続いて、操作部６０のダイヤル６１及び表示面６１２を見ながらダイヤル６１を操作する。ここで、ダイヤル６１及び表示面６１２は、突出部１２の光軸Ｊに対向する第二面１２２に配置されている。つまり、ユーザは、鉛直方向（Ｚ軸方向）に略平行な第二面１２２を見ながらダイヤル６１を操作できる。このように、ユーザは、真上を見上げることなく、比較的楽な姿勢でダイヤル６１を操作することができる。このため、ユーザは容易にダイヤル６１を操作することができる。また、ユーザは、斜め上方に視線を傾ける程度で第二面１２２を見ることができるため、床面が視野に入る状態で操作を行うことができる。これにより、ユーザは、自身の位置及び姿勢を把握し易いため、脚立などに乗った状態で操作を行う場合でも、安心感を得ることができる。また、照明器具１においては、操作部６０を操作する際に、ユーザは真上を見上げる必要がない。このため、ユーザが体のバランスを崩すことを抑制できる。
【００７４】
また、操作部６０は、ダイヤル６１を有するため、ユーザは指先でダイヤル６１を触れた状態で指先を移動させるだけで容易に操作部６０を操作することができる。さらに、ダイヤル６１の回転軸Ｄは、光軸Ｊに略平行であるため、ユーザは、指先を水平方向に振るような簡単な動作で操作部６０を操作できる。
【００７５】
ユーザは、操作部６０を操作することによって、所望の設定値に照明器具１を設定した後、カバー部材９０の被係止部９３ａ〜９３ｄをそれぞれ器具本体１０の係止部１３ａ〜１３ｄに係止させる。これにより、カバー部材９０で、突出部１２を覆うことができる。
【００７６】
以上のように、本実施の形態に係る照明器具１は、ユーザが容易に操作を行うことができる操作性の良い操作部６０を備える。
【００７７】
［３．まとめ］
以上のように、本実施の形態に係る照明器具１は、光源２０と、光源２０が配置される第一凹部１１と、第一凹部１１の内側面１１１において、光源２０の光軸Ｊに近づく向きに突出する突出部１２とを有する器具本体を備える。照明器具１は、さらに、突出部１２に配置される検知部５０と、突出部１２に配置され、軸回転する円板状のダイヤル６１を有する操作部６０とを備える。突出部１２の表面は、検知部５０が配置される第一面１２１と、ダイヤル６１が配置される第二面１２２とを有し、第二面１２２は、光軸Ｊに対向する。
【００７８】
これにより、ユーザは、真上を見上げることなく、比較的楽な姿勢で操作部６０のダイヤル６１を操作することができる。このように、照明器具１は、操作性の良い操作部６０を備える。
【００７９】
また、本実施の形態に係る照明器具１において、ダイヤル６１の回転軸Ｄは、光軸Ｊと略平行であってもよい。
【００８０】
これにより、指先を水平方向に振るような簡単な動作で操作部６０を操作できる。
【００８１】
また、本実施の形態に係る照明器具１は、検知部５０及び操作部６０が実装される回路基板１２５を、さらに備えてもよい。
【００８２】
これにより、検知部５０及び操作部６０を一体化することができるため、照明器具１の組立作業を容易にすることができる。
【００８３】
また、本実施の形態に係る照明器具１において、第二面１２２は、第二凹部１２２ａを有し、第二凹部１２２ａには、ダイヤル６１を露出させる窓部１２２ｂが形成されていてもよい。
【００８４】
これにより、ユーザは、窓部１２２ｂから露出したダイヤル６１の操作面６１１を筐体１２０の外部から操作することができる。また、窓部１２２ｂが第二凹部１２２ａに形成されることにより、ダイヤル６１の突出部１２からの光軸Ｊ向きの突出量を低減することができる。これにより、ダイヤル６１が、光源２０から出射された光を遮ることを抑制できる。
【００８５】
また、本実施の形態に係る照明器具１は、操作部６０を覆うカバー部材９０を、さらに備えてもよい。
【００８６】
これにより、操作部６０に埃などが積ることを抑制できる。また、カバー部材９０によって、操作部６０などを隠すことができるため、照明器具１の外観の意匠性を向上させることができる。
【００８７】
また、本実施の形態に係る照明器具１において、カバー部材９０の外面は、器具本体１０の第一凹部１１の内面と連なっていてもよい。
【００８８】
これにより、カバー部材９０と第一凹部１１の内面との隙間から埃などが進入することを抑制できる。また、カバー部材９０と第一凹部１１の内面との一体感を高めることができるため、照明器具１の外観の意匠性をさらに向上させることができる。
【００８９】
また、本実施の形態に係る照明器具１において、カバー部材９０には、検知部５０を露出させる貫通孔９１が形成されていてもよい。
【００９０】
これにより、検知部５０の感度がカバー部材９０によって低下することを抑制できる。
【００９１】
（変形例）
以上、本発明に係る照明器具について、実施の形態に基づいて説明したが、本発明は、上記実施の形態に限定されるものではない。
【００９２】
例えば、上記実施の形態においては、カバー部材９０は、第一面１２１の大部分を覆うが、カバー部材９０は、第一面１２１を覆わなくてもよい。また、照明器具１は、カバー部材９０を備えなくてもよい。
【００９３】
また、上記の実施の形態において、光源２０は、青色ＬＥＤチップと黄色蛍光体とによって白色光を放出するように構成したが、これに限定されない。例えば、赤色蛍光体及び緑色蛍光体を含有する蛍光体含有樹脂を用いて、これと青色ＬＥＤチップとを組み合わせることによりに白色光を放出するように構成しても構わない。
【００９４】
また、上記の実施の形態において、ＬＥＤとして、青色ＬＥＤチップを用いたが、これに限定されない。例えば、ＬＥＤとしては、青色以外の色を発光するＬＥＤチップを用いても構わない。この場合、蛍光体としては、ＬＥＤの発光波長に応じて適宜選択すればよい。
【００９５】
また、上記の実施の形態において、光源２０（ＬＥＤ光源）は基板上にＬＥＤチップを直接実装したＣＯＢ構造を有したが、これに限定されない。例えば、ＣＯＢ構造のＬＥＤモジュールに代えて、ＳＭＤ（Ｓｕｒｆａｃｅ  Ｍｏｕｎｔ  Ｄｅｖｉｃｅ）構造のＬＥＤモジュールを用いても構わない。ＳＭＤ構造のＬＥＤモジュールは、樹脂製のパッケージ（容器）の凹部の中にＬＥＤチップ（発光素子）を実装して当該凹部内に封止部材（蛍光体含有樹脂）を封入したパッケージ型のＬＥＤ素子（ＳＭＤ型ＬＥＤ素子）を、１個又は複数個、基板に実装した構成である。
【００９６】
また、上記の各実施の形態では、発光素子としてＬＥＤを例示したが、発光素子としては、半導体レーザ等の半導体発光素子、又は、有機ＥＬ（Ｅｌｅｃｔｒｏ  Ｌｕｍｉｎｅｓｃｅｎｃｅ）素子や無機ＥＬ等のその他の固体発光素子を用いてもよい。
【００９７】
また、上記の各実施の形態における照明器具は、天井以外の被取付部に設置されていてもよい。また、本発明は、例えば、シーリングライトなどのダウンライト以外の照明器具にも適用することができる。
【００９８】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【００９９】
１  照明器具
１０  器具本体
１１  第一凹部
１２  突出部
２０  光源
５０  検知部
６０  操作部
６１  ダイヤル
９０  カバー部材
９１  貫通孔
１１１  内側面
１２１  第一面
１２２  第二面
１２２ａ  第二凹部
１２２ｂ  窓部
１２５  回路基板
【図１】
0006778911.tif 000002
【図２】
0006778911.tif 000003
【図３】
0006778911.tif 000004
【図４】
0006778911.tif 000005
【図５】
0006778911.tif 000006
【図６】
0006778911.tif 000007